(57)【要約】【課題】オートネゴシエーション情報を中継する。【解決手段】ＧＢＥ終端部２４は、１０ビットのギガビット・イーサネット（登録商標）信号を８Ｂ／１０Ｂ復号し、８ビットのギガビット・イーサネット（登録商標）信号に変換してパケットデータを生成すると共に、オートネゴシエーション情報を抽出して制御データフレーム信号を生成する。フレーマ部２５は、パケットデータを予め割り当てられたタイムスロットに従い読み出してＳＤＨ信号のペイロードに時分割多重し、制御データフレーム信号をオーバヘッドに挿入し、ＳＤＨ信号と誤り訂正符号によりＦＥＣフレーム信号を生成して伝送する。【選択図】        図１
2004357164.tif 000002
【特許請求の範囲】
【請求項１】
入力された１０ビットのギガビット・イーサネット（登録商標）信号を８Ｂ／１０Ｂ復号し、８ビットのギガビット・イーサネット（登録商標）信号に変換してパケットデータを生成すると共に、上記１０ビットのギガビット・イーサネット（登録商標）信号に含まれるオートネゴシエーション情報を抽出して制御データフレーム信号を生成するＧＢＥ終端部と、
上記パケットデータを予め割り当てられたタイムスロットに従い読み出してＳＤＨ信号のペイロードに時分割多重し、上記制御データフレーム信号をオーバヘッドに挿入し、上記ＳＤＨ信号と誤り訂正符号によりＦＥＣフレーム信号を生成して伝送するフレーマ部とを備えた伝送装置。
【請求項２】
伝送されたＦＥＣフレーム信号のオーバヘッドからオートネゴシエーション情報が含まれる制御データフレーム信号を抽出し、上記ＦＥＣフレーム信号に含まれる誤り訂正符号により上記ＦＥＣフレーム信号の誤り訂正を行い、上記ＦＥＣフレーム信号に含まれるＳＤＨ信号のペイロードからパケットデータを時分割多重分離するフレーマ部と、
上記パケットデータから生成された８ビットのギガビット・イーサネット（登録商標）信号を８Ｂ／１０Ｂ符号化して１０ビットのギガビット・イーサネット（登録商標）信号に変換し、上記制御データフレーム信号からオートネゴシエーション情報を抽出して上記１０ビットのギガビット・イーサネット（登録商標）信号に挿入するＧＢＥ終端部とを備えた伝送装置。
【請求項３】
ＧＢＥ終端部は、オートネゴシエーション情報の変化があった場合に、上記オートネゴシエーション情報を抽出して１０ビットのギガビット・イーサネット（登録商標）信号に挿入することを特徴とする請求項２記載の伝送装置。
【請求項４】
入力された１０ビットのギガビット・イーサネット（登録商標）信号を８Ｂ／１０Ｂ復号して８ビットのギガビット・イーサネット（登録商標）信号に変換し、上記１０ビットのギガビット・イーサネット（登録商標）信号に含まれるオートネゴシエーション情報を抽出する８Ｂ／１０Ｂ復号部と、
上記オートネゴシエーション情報により制御データフレーム信号を生成するオートネゴシエーション情報処理部と、
上記８ビットのギガビット・イーサネット（登録商標）信号に含まれるＭＡＣフレームデータを抽出し、上記ＭＡＣフレームデータの品質をチェックしてパケットデータを生成するＭＡＣ処理部と、
上記パケットデータを蓄積するＦＩＦＯ部と、
蓄積されているパケットデータを予め割り当てられたタイムスロットに従い読み出してＳＤＨ信号のペイロードに時分割多重するＰＯＳ処理部と、
上記制御データフレーム信号をオーバヘッドに挿入し、上記ＰＯＳ処理部からのＳＤＨ信号と誤り訂正符号によりＦＥＣフレーム信号を生成して伝送するＦＥＣ部とを備えた伝送装置。
【請求項５】
伝送されたＦＥＣフレーム信号のオーバヘッドからオートネゴシエーション情報が含まれる制御データフレーム信号を抽出し、上記ＦＥＣフレーム信号に含まれる誤り訂正符号により上記ＦＥＣフレーム信号の誤り訂正を行い、上記ＦＥＣフレーム信号に含まれるＳＤＨ信号を出力するＦＥＣ部と、
上記ＳＤＨ信号のペイロードからパケットデータを時分割多重分離するＰＯＳ処理部と、
上記パケットデータを蓄積するＦＩＦＯ部と、
蓄積されているパケットデータを読み出し、読み出したパケットデータをＭＡＣフレーム化して８ビットのギガビット・イーサネット（登録商標）信号を出力するＭＡＣ処理部と、
上記８ビットのギガビット・イーサネット（登録商標）信号を８Ｂ／１０Ｂ符号化して１０ビットのギガビット・イーサネット（登録商標）信号に変換する８Ｂ／１０Ｂ符号部と、
上記制御データフレーム信号からオートネゴシエーション情報を抽出して上記１０ビットのギガビット・イーサネット（登録商標）信号に挿入するオートネゴシエーション情報処理部とを備えた伝送装置。
【請求項６】
オートネゴシエーション情報処理部は、オートネゴシエーション情報の変化があった場合に、上記オートネゴシエーション情報を抽出して１０ビットのギガビット・イーサネット（登録商標）信号に挿入することを特徴とする請求項５記載の伝送装置。
【請求項７】
第１の端末から入力されたギガビット・イーサネット（登録商標）信号を８Ｂ／１０Ｂ復号してＦＥＣフレーム信号を生成し、上記ギガビット・イーサネット（登録商標）信号に含まれるオートネゴシエーション情報を抽出して、上記ＦＥＣフレーム信号のオーバヘッドに挿入して第１の伝送路を介して伝送する第１の伝送装置と、
上記第１の伝送装置から上記第１の伝送路を介して伝送されたＦＥＣフレーム信号から８Ｂ／１０Ｂ符号化されたギガビット・イーサネット（登録商標）信号を生成し、上記ＦＥＣフレーム信号のオーバヘッドに含まれるオートネゴシエーション情報を抽出して、上記８Ｂ／１０Ｂ符号化されたギガビット・イーサネット（登録商標）信号に挿入して第２の端末に出力する第２の伝送装置とを備えた伝送システム。
【請求項８】
第１の端末から入力されたギガビット・イーサネット（登録商標）信号を８Ｂ／１０Ｂ復号してＦＥＣフレーム信号を生成し、上記ギガビット・イーサネット（登録商標）信号に含まれるオートネゴシエーション情報を抽出して、上記ＦＥＣフレーム信号のオーバヘッドに挿入して第２の伝送路を介して伝送する第１の予備系伝送装置と、
上記第１の予備系伝送装置から上記第２の伝送路を介して伝送されたＦＥＣフレーム信号から８Ｂ／１０Ｂ符号化されたギガビット・イーサネット（登録商標）信号を生成し、上記ＦＥＣフレーム信号のオーバヘッドに含まれるオートネゴシエーション情報を抽出して、上記８Ｂ／１０Ｂ符号化されたギガビット・イーサネット（登録商標）信号に挿入して第２の端末に出力する第２の予備系伝送装置と、
第１の伝送路に障害が発生した際に、
第１の端末と第１の伝送装置を切り離して上記第１の端末と上記第１の予備系伝送装置を接続する第１の監視装置と、
第２の端末と第２の伝送装置を切り離して上記第２の端末と上記第２の予備系伝送装置を接続する第２の監視装置とを備えたことを特徴とする請求項７記載の伝送システム。
【発明の詳細な説明】
【０００１】
【発明の属する技術分野】
この発明は、対向する端末間のギガビット・イーサネット（登録商標）信号（以下、ＧＢＥ信号）を中継する伝送装置及び伝送システムに関するものである。
【０００２】
【従来の技術】
従来の伝送装置では、例えば、特許文献１に示すように、ＧＢＥ信号を８Ｂ／１０Ｂ符号化変換により復号することにより、ＧＢＥ信号の伝送速度を１．２５Ｇから１Ｇｂｐｓに削減し、複数のＧＢＥ信号を効率的にＳＴＭ−１６等の伝送信号に多重伝送する構成としている。
【０００３】
８Ｂ／１０Ｂ符号化された１０ビットのＧＢＥ信号中の２ビットにはオートネゴシエーション情報が収容され、このオートネゴシエーション情報としては、対向する端末間での通信速度認識情報、受信側の端末のバッファ量を制御するためのフロー制御情報、全二重・半二重通信の動作モードの自動設定情報が含まれている。
【０００４】
しかし、ＧＢＥ信号を長距離伝送するために、途中に伝送装置を介した場合には、伝送装置が、伝送路帯域を有効利用するためにＧＢＥ信号を８Ｂ／１０Ｂ復号して１０ビットのＧＢＥ信号から２ビットを削減して８ビットのＧＢＥ信号に変換し、伝送速度を１．２５Ｇから１Ｇｂｐｓに削減している。そして、削減された２ビットに含まれているオートネゴシエーション情報も削除されている。
【０００５】
【特許文献１】
特開２００１−４５０６９号公報（段落００３０）
【０００６】
【発明が解決しようとする課題】
従来の伝送装置は以上のように構成されているので、ＧＢＥ信号に含まれているオートネゴシエーション情報が８Ｂ／１０Ｂ復号処理により削除され、伝送装置を介しての対向する端末間で、通信速度認識やフロー制御や全二重・半二重通信の動作モードの自動設定等のオートネゴシエーションができなくなるという課題があった。
【０００７】
この発明は上記のような課題を解決するためになされたもので、８Ｂ／１０Ｂ復号処理により削除していたオートネゴシエーション情報を中継し、対向する端末間で、通信速度認識やフロー制御や全二重・半二重通信の動作モードの自動設定等のオートネゴシエーションを可能にする伝送装置及び伝送システムを得ることを目的とする。
【０００８】
【課題を解決するための手段】
この発明に係る伝送装置は、入力された１０ビットのギガビット・イーサネット（登録商標）信号を８Ｂ／１０Ｂ復号し、８ビットのギガビット・イーサネット（登録商標）信号に変換してパケットデータを生成すると共に、上記１０ビットのギガビット・イーサネット（登録商標）信号に含まれるオートネゴシエーション情報を抽出して制御データフレーム信号を生成するＧＢＥ終端部と、上記パケットデータを予め割り当てられたタイムスロットに従い読み出してＳＤＨ信号のペイロードに時分割多重し、上記制御データフレーム信号をオーバヘッドに挿入し、上記ＳＤＨ信号と誤り訂正符号によりＦＥＣフレーム信号を生成して伝送するフレーマ部とを備えたものである。
【０００９】
【発明の実施の形態】
以下、この発明の実施の一形態を説明する。
実施の形態１．
図１はこの発明の実施の形態１による伝送装置の構成を示すブロック図である。この伝送装置は、図１に示すように、光／電気変換部１１、電気／光変換部１２、８Ｂ／１０Ｂ復号部１３、８Ｂ／１０Ｂ符号部１４、オートネゴシエーション情報処理部１５、ＭＡＣ（Ｍｅｄｉａ  Ａｃｃｅｓｓ  Ｃｏｔｒｏｌ）処理部１６、ＦＩＦＯ（Ｆｉｒｓｔ  Ｉｎ  Ｆｉｒｓｔ  Ｏｕｔ）部１７，１８、ＰＯＳ（Ｐａｃｋｅｔ  Ｏｖｅｒ  ＳＯＮＥＴ）処理部１９、ＦＥＣ（Ｆｏｒｗａｒｄ  Ｅｒｒｏｒ  Ｃｏｒｒｅｃｔｉｏｎ）部２０、電気／光変換部２２、光／電気変換部２３により構成されている。
【００１０】
また、図１において、ＦＥＣ部２０はＯＨ（Ｏｖｅｒｈｅａｄ）部２１を備えている。そして、８Ｂ／１０Ｂ復号部１３、８Ｂ／１０Ｂ符号部１４、オートネゴシエーション情報処理部１５及びＭＡＣ処理部１６によりＧＢＥ（Ｇｉｇａｂｉｔ  Ｅｔｈｅｒｎｅｔ（登録商標））終端部２４が構成され、ＰＯＳ処理部１９及びＦＥＣ部２０によりフレーマ部２５が構成されている。
【００１１】
図２は図１のオートネゴシエーション情報処理部１５の内部構成を示すブロック図であり、オートネゴシエーション情報処理部１５は、制御データフレーム生成部３１、同期検出部３２、ＣＲＣ（Ｃｙｃｌｉｃ  Ｒｅｄｕｎｄａｎｃｙ  Ｃｈｅｃｋ）チェック部３３、データ変化検出部３４及び制御データ挿入部３５により構成されている。
【００１２】
なお、図１の伝送路１０３を介して対向する伝送装置（図示せず）が接続されており、この対向する伝送装置も図１及び図２の構成を備えているものとする。
【００１３】
次に動作について説明する。
図１において、複数本の入力線１０１を介して光伝送された複数本の８Ｂ／１０Ｂ符号化されたＧＢＥ信号は、複数本の入力線１０１に対応して接続された光／電気変換部１１により、光信号から電気信号に変換されて８Ｂ／１０Ｂ復号部１３に入力される。この例では、ＧＢＥ信号を２チャンネル（ＣＨ１，ＣＨ２）収容している。このＧＢＥ信号には、主データをＭＡＣフレーム化したＭＡＣフレームデータと、オートネゴシエーション情報が含まれている。
【００１４】
８Ｂ／１０Ｂ復号部１３は、入力線１０１に対応して入力される１０ビットのＧＢＥ信号を８Ｂ／１０Ｂ符号化変換により復号し、８Ｂ／１０Ｂ復号された主データが含まれる８ビットのＧＢＥ信号を出力して、ＧＢＥ信号の伝送速度を１．２５Ｇｐｓから１．０Ｇｂｐｓに変換する。このとき、８Ｂ／１０Ｂ復号部１３は、１０ビットのＧＢＥ信号の余剰の２ビットに含まれているオートネゴシエーション情報を抽出し、抽出したオートネゴシエーション情報を制御データとしてオートネゴシエーション情報処理部１５に出力する。
【００１５】
図２において、オートネゴシエーション情報処理部１５の制御データフレーム生成部３１は、８Ｂ／１０Ｂ復号部１３からのオートネゴシエーション情報を示す制御データから制御データフレーム信号を生成し、ＦＥＣ部２０に内蔵されるＯＨ部２１に転送する。ＯＨ部２１は、オートネゴシエーション情報処理部１５からの制御データフレーム信号を、ＦＥＣ部２０が生成するＦＥＣフレーム信号のオーバヘッドに挿入する。
【００１６】
図３は制御データフレーム信号とＦＥＣフレーム信号の構成例を示す図である。図３の例では、制御データフレーム信号は、１ｂｙｔｅの同期データ、３ｂｙｔｅずつのＣＨ１，ＣＨ２制御データ、２ｂｙｔｅのＣＲＣデータにより構成されている。また、ＦＥＣフレーム信号は、制御データフレーム信号の各データが挿入された１６ｂｙｔｅのオーバヘッド、１６×２３８ｂｙｔｅのペイロード、１６×１６ｂｙｔｅの誤り訂正符号から構成されている。
【００１７】
図１において、８Ｂ／１０Ｂ復号部１３からの８Ｂ／１０Ｂ復号された８ビットのＧＢＥ信号はＭＡＣ処理部１６に出力され、ＭＡＣ処理部１６は、ＧＢＥ信号に含まれている、主データがＭＡＣフレーム化されたＭＡＣフレームデータを抽出し、ＦＣＳ（Ｆｒａｍｅ  Ｃｈｅｃｋ  Ｓｅｑｕｅｎｃｅ）エラー検出によるＭＡＣフレームデータの異常やフレーム長の異常を検出することにより信号品質をチェックする。また、ＭＡＣ処理部１６はチャンネル毎にＭＡＣフレームデータに必要な情報を付加してパケットデータを生成してＦＩＦＯ部１７に蓄積する。
【００１８】
ＰＯＳ処理部１９は、ＦＩＦＯ部１７に蓄積されたパッケットデータを、予め割り当てられたタイムスロットに従い読み出して、ＳＤＨ（Ｓｙｎｃｈｒｏｎｏｕｓ  Ｄｉｇｉｔａｌ  Ｈｉｅｒａｒｃｈｙ）信号のペイロードに時分割多重する。例えば、ＳＴＭ−１６の伝送信号の場合には、ＧＢＥ信号が２系統多重可能である。
【００１９】
ＰＯＳ処理部１９から出力されたＳＤＨ信号はＦＥＣ部２０に入力され、ＦＥＣ部２０は、図３に示すように、オーバヘッド、ペイロード、誤り訂正符号をマッピングしてＦＥＣフレーム信号を構成して出力する。電気／光変換部２２は、ＦＥＣ部２０からのＦＥＣフレーム信号を、電気信号から光信号に変換して伝送路１０３に出力し対向する伝送装置に伝送する。
【００２０】
一方、対向する伝送装置から伝送路１０３を介して伝送されたＦＥＣフレーム信号は、光／電気変換部２３により光信号から電気信号に変換される。ＦＥＣ部２０は光／電気変換部２３からのＦＥＣフレーム信号に含まれている誤り訂正符号によりＦＥＣフレーム信号に誤り訂正処理を施してＳＤＨ信号を出力する。ＰＯＳ処理部１９はＳＤＨ信号のペイロードから主データが含まれるパケットデータを時分割多重分離し、ＦＩＦＯ部１８にチャンネル毎に蓄積する。
【００２１】
ＭＡＣ処理部１６は、ＦＩＦＯ部１８に蓄積されているパケットデータを読み出し、チャンネル毎にパケットデータに含まれる主データをＭＡＣフレーム化して８ビットのＧＢＥ信号を出力する。８Ｂ／１０Ｂ符号化部１４は、８ビットのＧＢＥ信号を８Ｂ／１０Ｂ符号化して１０ビットのＧＢＥ信号に変換し、ＧＢＥ信号の伝送速度を１．０Ｇｐｓから１．２５Ｇｂｐｓに変換する。また、追加した余剰の２ビットに、以下に述べるように、オートネゴシエーション情報処理部１５からの制御データが挿入される。
【００２２】
ＦＥＣ部２０のＯＨ部２１は、光／電気変換部２３からのＦＥＣフレーム信号のうちの制御データフレーム信号をオートネゴシエーション情報処理部１５に転送する。オートネゴシエーション情報処理部１５はチャンネル毎の制御データを以下に示すように抽出する。
【００２３】
図３において、オートネゴシエーション情報処理部１５の同期検出部３２は、制御データフレーム信号の同期データを検出することにより、制御データフレーム信号を同期検出する。ＣＲＣチェック部３３は、制御データフレーム信号のＣＲＣデータにより制御データフレーム信号の誤りを検出し、ＣＨ１，ＣＨ２の制御データの誤検出を防止する。
【００２４】
データ変化検出部３４は、時系列的にチャンネル毎の制御データの変化を監視することにより、オートネゴシエーション情報の内容が変化したかを監視し、つまり、通信速度認識情報、フロー制御情報、全二重・半二重通信の動作モードの自動設定情報の内容が変化したかを監視し、チャンネル毎の制御データに変化があった場合に、そのチャンネル毎の制御データを抽出する。
【００２５】
制御データ挿入部３５は、８Ｂ／１０Ｂ符号部１４により変換された１０ビットのＧＢＥ信号のうちの余剰の２ビットに、チャンネル毎の制御データをオートネゴシエーション情報として挿入する。
【００２６】
８Ｂ／１０Ｂ符号部１４からのチャンネル毎の８Ｂ／１０Ｂ符号化された１０ビットのＧＢＥ信号は、電気／光変換部１２により、電気信号から光信号に変換されて出力線１０２に出力され端末に伝送される。
【００２７】
図４はこの発明の実施の形態１による伝送システムの構成を示す図であり、伝送装置による対向する端末間でのオートネゴシエーション情報の中継を説明する図である。図４において、対向する端末（第１の端末）３及び端末（第２の端末）４間に伝送装置（第１の伝送装置）１及び伝送装置（第２の伝送装置）２が配置され、伝送装置１，２は伝送路（第１の伝送路）１０３により接続され、端末３，４はそれぞれ伝送装置１，２と入力線１０１、出力線１０２により接続されている。また、伝送装置１，２は図１及び図２に示す構成を備えている。
【００２８】
端末３と伝送装置１の間、及び端末４と伝送装置２との間にてオートネゴシエーションを実施し、伝送装置１，２はそれぞれ接続される端末３，４のオートネゴシエーション情報としての制御データを取得する。伝送装置１，２において、各ＧＢＥ終端部２４は、主データと制御データが含まれるＧＢＥ信号から制御データを抽出してフレーマ部２５に転送する。また、各ＧＢＥ終端部２４は、主データをパケットデータにして各フレーマ部２５に転送する。
【００２９】
各フレーマ部２５は、制御データをオーバヘッドにマッピングし、主データをペイロードにマッピングしたＦＥＣフレーム信号を、伝送路１０３を介して対向する伝送装置２，１に伝送する。つまり、伝送装置１，２は、対向する伝送装置２，１に対しオートネゴシエーション情報を示す制御データを中継伝送する。
【００３０】
伝送装置２，１において、各フレーマ部２５は伝送路１０３から伝送されたＦＥＣフレーム信号からオーバヘッドを抽出し、オーバヘッドに含まれている制御データフレーム信号を各ＧＢＥ終端部２４に転送する。また、各フレーマ部２５はＦＥＣフレーム信号から主データが含まれるパケットデータを抽出して各ＧＢＥ終端部２４に転送する。
【００３１】
各ＧＢＥ終端部２４はパケットデータからＧＢＥ信号を生成する。また、各ＧＢＥ終端部２４は転送された制御データフレーム信号における制御データの時系列的な変化を監視し、この制御データに変化があった場合にＧＢＥ信号に制御データを挿入して主データと制御データを各端末４，３に伝送する。
【００３２】
この制御データにより端末４，３にオートネゴシエーションをリスタートさせる。オートネゴシエーションはＧＢＥ信号の伝送を中断させるが、このように、制御データの変化を検出して変化があった場合にのみ、オートネゴシエーションをリスタートさせることにより、伝送サービスに極力影響を与えないようにすることができる。
【００３３】
以上のように、この実施の形態１によれば、伝送装置が対向する端末間にオートネゴシエーション情報を中継することにより、対向する端末間で、通信速度認識やフロー制御や全二重・半二重通信の自動設定等のオートネゴシエーションを可能にすることができるという効果が得られる。
【００３４】
また、この実施の形態１によれば、伝送装置がオートネゴシエーション情報を中継する際に、オートネゴシエーション情報を示す制御データの変化を検出して、オートネゴシエーションをリスタートさせることにより、伝送サービスに極力影響を与えないようにすることができるという効果が得られる。
【００３５】
実施の形態２．
図５はこの発明の実施の形態２による伝送システムの構成を示す図である。この伝送システムは、実施の形態１の図４に示す伝送システムに、予備系伝送装置（第１の予備系伝送装置）５及び予備系伝送装置（第２の予備系伝送装置）６を追加して冗長構成としたものである。この予備系伝送装置５，６は実施の形態１の図１及び図２の構成を備えているものとする。
【００３６】
図５において、端末３は伝送装置１及び予備系伝送装置５と入力線１０１及び出力線１０２上の光カプラ１１１を介して接続され、端末４は伝送装置２及び予備系伝送装置６と入力線１０１及び出力線１０２上の光カプラ１１１を介して接続されている。
【００３７】
また、予備系伝送装置５及び予備系伝送装置６は伝送路（第２の伝送路）１０４により接続されている。さらに、伝送装置１及び予備系伝送装置５側には監視装置（第１の監視装置）７が設置され、伝送装置２及び予備系伝送装置６側には監視装置（第２の監視装置）８が設置され、伝送路１０３に障害が発生した場合に、監視装置７により伝送装置１から予備系伝送装置５に切り替え、監視装置８により伝送装置２から予備系伝送装置６に切り替える。
【００３８】
次に動作について説明する。
伝送装置１，２間の伝送路１０３に障害が発生した場合には、伝送装置１のフレーマ部２５は伝送路１０３から入力されるＦＥＣフレーム信号のＬＯＦ（Ｌｏｓｓ  ｏｆ  Ｆｒａｍｅ）を検出し、監視装置７がフレーマ部２５によるＬＯＦの検出により、伝送装置１の出力線１０２側の電気／光変換部１２の光出力をＯＦＦし、予備系伝送装置５の出力線１０２側の電気／光変換部１２の光出力をＯＮする。
【００３９】
また、伝送装置２のフレーマ部２５は伝送路１０３から入力されるＦＥＣフレーム信号のＬＯＦを検出し、監視装置８がフレーマ部２５によるＬＯＦの検出により、伝送装置２の出力線１０２側の電気／光変換部１２の光出力をＯＦＦし、予備系伝送装置６の出力線１０２側の電気／光変換部１２の光出力をＯＮする。
【００４０】
このようにして、伝送装置１，２間の伝送路１０３に障害が発生しても、予備系伝送装置５，６が正常な伝送路１０４を介して、端末３，４間のＧＢＥ信号の中継を行うことができる。
【００４１】
以上のように、この実施の形態２によれば、実施の形態１と同様の効果が得られると共に、伝送路１０３に障害が発生しても、監視装置７，８が伝送装置１，２及び予備系伝送装置５，６の出力線１０２側の電気／光変換部１２をＯＮ／ＯＦＦ制御することにより、正常な伝送路１０４を介して伝送サービスを継続的に行うことができるという効果が得られる。
【００４２】
【発明の効果】
以上のように、この発明によれば、入力された１０ビットのギガビット・イーサネット（登録商標）信号を８Ｂ／１０Ｂ復号し、８ビットのギガビット・イーサネット（登録商標）信号に変換してパケットデータを生成すると共にオートネゴシエーション情報を抽出して制御データフレーム信号を生成するＧＢＥ終端部と、パケットデータを予め割り当てられたタイムスロットに従い読み出してＳＤＨ信号のペイロードに時分割多重し、制御データフレーム信号をオーバヘッドに挿入し、ＳＤＨ信号と誤り訂正符号によりＦＥＣフレーム信号を生成して伝送するフレーマ部とを備えたことにより、対向する端末間で、通信速度認識やフロー制御や全二重・半二重通信の自動設定等のオートネゴシエーションを可能にすることができるという効果がある。
【図面の簡単な説明】
【図１】この発明の実施の形態１による伝送装置の構成を示すブロック図である。
【図２】この発明の実施の形態１による伝送装置のオートネゴシエーション情報処理部の内部構成を示すブロック図である。
【図３】この発明の実施の形態１による伝送装置における制御データフレーム信号とＦＥＣフレーム信号の構成例を示す図である。
【図４】この発明の実施の形態１による伝送システムの構成を示すブロック図である。
【図５】この発明の実施の形態２による伝送システムの構成を示す図である。
【符号の説明】
１  伝送装置、２  伝送装置、３  端末、４  端末、５  予備系伝送装置、６予備系伝送装置、７  監視装置、８  監視装置、１１  光／電気変換部、１２電気／光変換部、１３  ８Ｂ／１０Ｂ復号部、１４  ８Ｂ／１０Ｂ符号部、１５  オートネゴシエーション情報処理部、１６  ＭＡＣ処理部、１７  ＦＩＦＯ部、１８  ＦＩＦＯ部、１９  ＰＯＳ処理部、２０  ＦＥＣ部、２１  ＯＨ部、２２  電気／光変換部、２３  光／電気変換部、２４  ＧＢＥ終端部、２５  フレーマ部、３１  制御データフレーム生成部、３２  同期検出部、３３  ＣＲＣチェック部、３４  データ変化検出部、３５  制御データ挿入部、１０１  入力線、１０２  出力線、１０３  伝送路、１０４  伝送路、１１１  光カプラ。
【図１】
2004357164.tif 000003
【図２】
2004357164.tif 000004
【図３】
2004357164.tif 000005
【図４】
2004357164.tif 000006
【図５】
2004357164.tif 000007